(57)【要約】【課題】鎌のブレード部をその長手方向に交差する方向に移動させてホルダ内に出し入れすることで、構造が簡単且つコンパクトであり、且つ鎌のブレード部をホルダ内に出し入れする操作性を向上させた使い勝手の良い鎌用ホルダを提供する。【解決手段】鎌６のブレード部７は、ブレード部７の長手方向に交差する方向を、ホルダ本体２に形成されている溝２３の上側に開く溝開口２４の開き方向に沿わせて、溝開口２４を通して出し入れして溝２３内に収容される。ホルダ本体２に対して開閉可能な蓋体３が溝開口２４を覆う状態で閉じられ、鎌６の柄部８が囲みバンド４によってホルダ本体２に対して囲まれることで、ブレード部７の抜け出しが防止される。収容手順と逆の手順を辿ることで、蓋体３を開いて溝開口２４を通してブレード部７を溝２３から取り出し、柄部８を囲みバンド４から引き抜いて、鎌６を鎌用ホルダ１から取り出すことができる。【選択図】図５
0003216086.tif 000002
【実用新案登録請求の範囲】
【請求項１】
ブレード部と当該ブレード部を取り付けた柄部とを備えている鎌を収容する鎌用ホルダであって、
前記鎌の前記ブレード部の少なくとも刃先側部分を上方に開いた溝開口を通して収容・取り出し可能にする溝が形成されているホルダ本体、
前記ホルダ本体に対して前記溝を覆う態様で閉じることが可能な蓋体、及び
前記ホルダ本体に取り付けられており前記鎌の柄部を前記ホルダ本体に囲む囲みバンドを備えることから成る鎌用ホルダ。
【請求項２】
前記蓋体には、前記ホルダ本体に対して閉じた状態で、前記鎌のブレード部の峰側部分を収容可能な溝が形成されていることから成る請求項１に記載の鎌用ホルダ。
【請求項３】
前記ホルダ本体に対して閉じた状態にある前記蓋体を、前記ホルダ本体に対して解除可能にロックするロック用の金具を備えていることから成る請求項１又は２に記載の鎌用ホルダ。
【請求項４】
前記ロック用の金具に対してロック状態保持具を解除可能に係合させることができ、前記ロック用の金具は、前記ロック状態保持具が当該ロック用の金具に対して係合状態にあるときに、ロック状態に保持されて当該ロック状態の意図しない解除が防止されることから成る請求項３に記載の鎌用ホルダ。
【請求項５】
前記囲みバンドは、その両端部分において前記ホルダ本体に対して固定的に取り付けられていることから成る請求項１に記載の鎌用ホルダ。
【請求項６】
前記囲みバンドは、前記両端部分のいずれか一方において前記ホルダ本体に対して取り外し可能に取り付けられている、又は前記ホルダ本体に対して固定的に取り付けられている前記両端部分の間の中間部分において互いに取り外し可能に連結されていることから成る請求項１に記載の鎌用ホルダ。
【請求項７】
前記ホルダ本体には、作業員の腰ベルトを通すことができるベルト通しが取り付けられていることから成る請求項１に記載の鎌用ホルダ。
【考案の詳細な説明】
【技術分野】
【０００１】
この考案は、草や小枝等を刈るのに用いられる鎌を取り出し可能に収容する鎌用ホルダに関する。
【背景技術】
【０００２】
従来、草や小枝のような植物等を刈り取るための農具の一つとして鎌がある。鎌は、一般的に、刈取り用の直線的な又は湾曲して延びる刃が形成されているブレード部と、ブレード部の刃元端に連結されていて作業者が掴み可能な柄部とを備えている。ブレード部と柄部とは、刈取り対象によっても異なるが、直角又はその前後に幾分かの範囲内の角度で交差して連結されている。ブレード部の刈取り用の刃は、作業者が柄部を持って引いたときに対象物を刈り取ることができるように、柄部との間で内側となるブレード縁部分に形成されている。
【０００３】
鎌は、上記のように、ブレード部と柄部とが鎌特有の構造を有している。そのため、特に作業者が鎌の持ち運び中や収容・取り出し中にブレード部の刃で怪我をしないためにも、その取り扱いに注意が必要である。従来、鎌の少なくともブレード部を安全に収容するとともに、収容した鎌を取り出し可能にするケースやホルダとして種々のものが提案されている。
【０００４】
鎌を使用していないときに、鎌を収納する袋状の腰下げ収納袋の例が特許文献１に開示されている。この腰下げ収納袋は、Ｌ型の袋の短辺部に鎌の刃部分を収納する鞘部と、鞘部に繋がる袋の長辺部の上部を開いていて当該上部から鎌の柄部分を収納する溝部を備えている。当該溝部には、収納袋を腰の後ろに取り付けるための紐が設けられている。腰の後ろに紐で安定して取り付けることで他の作業をする時に邪魔にならず、また、鎌の刃部分を鞘部に深く蔽うことで鎌が簡単には抜け落ちないようにすることを図っている。
【０００５】
携行可能にした鎌用ホルダの別の例が特許文献２に開示されている。この鎌用ホルダの鎌を収容する鞘は、鎌の刃本体を収納する収納部と、当該収納部を鎌の柄部に固定するための留め部と、前記収納部に設けられていて腰ベルトに吊り下げるためのベルト通しを備えている。収納部はベルト通しに対して回転可能とされている。この回転構造によって、収納部に鎌を収納していないときには収納部自体の重さで回転して鎌の刃を入れる入り口が上を向き、収納部に鎌を収納した状態では鎌の柄部の重みで柄部が鉛直方向に垂れ下がる。これにより、鎌を収納状態で腰ベルトに吊り下げて安全に携帯でき、鞘への鎌の出し入れを容易にすることを図っている。
【０００６】
また、特許文献３には、基本構造として、縦長の収納口が形成された柄収納部と、柄収納部の一端部に連設され、鎌先の出入口を開口させた鞘状の刃収納部と、収納口の少なくとも一部を塞いで、収納された鎌の脱落を防止する脱落防止保持手段と、柄収納部の適所に設けられた取付け部材とを備えた鎌収納ホルダが提案されている。この鎌収納ホルダは、鎌に慣れていない者でも、身体に装着したままで、鎌をホルダ内にスムーズ且つ安全に出し入れを可能にすることを図っている。
【０００７】
これらの鎌用のホルダは、いずれも、鎌のブレード部をホルダの鞘部で覆ったものである。したがって、鎌のホルダからの出し入れには、鞘部の出し入れ口を通して鎌のブレード部を鞘部に差し入れる又は鞘部から引き抜く動作が必要である。しかしながら、鎌のブレード部は相当の長さを持っており、湾曲しているものも多い。また、鞘部の出し入れ口も鎌のブレード部の断面に倣った狭い形状となっている。更に、鎌のブレード部が鞘部内でぐらつくのを防止するために、鞘部は鎌のブレード部にある程度フィットしたものとなっている。鎌をホルダに収納するには、鎌の柄部を手に持ってブレード部を鞘部に出し入れをすることになるが、上記のようなブレード部の長さや鞘部の出し入れ口の狭さから、通常、この作業をスムーズに行うことは難しい。
【先行技術文献】
【特許文献】
【０００８】
【特許文献１】特開２００３−１２５６２４号公報
【特許文献２】実用新案登録第３１４７０８８号公報
【特許文献３】特許第４８５３９８１号公報
【考案の概要】
【考案が解決しようとする課題】
【０００９】
そこで、鎌を安全に収容する鎌用ホルダにおいて、ホルダに対して、鎌のブレード部を、当該ブレード部の長手方向に沿って差し入れる又は引き抜くことで出し入れされる鞘部によって収容するのではなく、ブレード部の収容・取り出し操作がより簡単であり、鎌をより簡単・確実にホルダ内に収容することを可能にする点で解決すべき課題がある。
【００１０】
この考案の目的は、上記課題を解決することであり、鎌のブレード部をその長手方向に交差する方向に移動させてホルダ内に出し入れすることを可能にすることで、構造が簡単で且つコンパクトであり、且つ鎌のブレード部のホルダ内への出し入れを簡単且つスムーズに行って収容及び取り出しの操作性を向上させた使い勝手の良い鎌用ホルダを提供することである。
【課題を解決するための手段】
【００１１】
上記の課題を解決するため、この考案による鎌用ホルダは、
ブレード部と当該ブレード部を取り付けた柄部とを備えている鎌を収容する鎌用ホルダであって、
前記鎌の前記ブレード部の少なくとも刃先側部分を上方に開いた溝開口を通して収容・取り出し可能にする溝が形成されているホルダ本体、
前記ホルダ本体に対して前記溝を覆う態様で閉じることが可能な蓋体、及び
前記ホルダ本体に取り付けられており前記鎌の柄部を前記ホルダ本体に囲む囲みバンドを備えることから成っている。
【００１２】
この鎌用ホルダによれば、鎌のブレード部は、ホルダ本体の溝に対して、ブレード部の長手方向に交差する方向を上方に開く溝開口の当該開き方向に沿わせるようにして、当該溝開口を通して出し入れが可能である。溝開口を通して入れられたブレード部は、少なくとも刃先側部分がホルダ本体の溝内に収容される。ホルダ本体に対して開閉可能な蓋体は溝を覆う状態で閉じられる。また、鎌用ホルダに収容されている鎌の柄部は、ホルダ本体の外に出ているが、ホルダ本体に取り付けられている囲みバンドによってホルダ本体に対して囲まれるので、鎌の柄部が鎌用ホルダの外で不意に動き回ることもない。鎌を鎌用ホルダから取り出す場合には、蓋体を開いて溝開口を上に開放し、溝開口を通して鎌のブレード部を溝から取り出すとともに、鎌の柄部を囲みバンドから抜き去る操作をする。これによって、鎌全体を鎌用ホルダから容易に取り出すことができる。
【００１３】
この鎌用ホルダにおいて、前記蓋体には、前記ホルダ本体に対して閉じた状態で、前記鎌のブレード部の峰側部分を収容可能な溝を形成することができる。
この鎌用ホルダによれば、鎌の収容状態で蓋体をホルダ本体に対して閉じるときには、鎌のブレード部は、その刃先側部分がホルダ本体の溝に、峰側部分が蓋体の溝に収容されることで、ブレード部はホルダ本体と蓋体とでそれぞれの溝内に分担して収容される。また、鎌の収容状態で蓋体をホルダ本体に対して開いたときに、鎌のブレード部の峰側部分を目視して確認することができ、その後の、ブレード部のみならず柄部を含めた鎌の全体を鎌用ホルダから取り出し易くなる。
【００１４】
この鎌用ホルダにおいて、前記ホルダ本体に対して閉じた状態にある前記蓋体を、前記ホルダ本体に対して解除可能にロックするロック用の金具を備えることができる。
この鎌用ホルダによれば、蓋体をホルダ本体にロックすることで、蓋体がホルダ本体から意図せずに開くのが防止される。鎌のブレード部が溝に収容されている場合には、溝を覆う状態でホルダ本体に対して閉じられた蓋体を、ロック用の金具によってホルダ本体にロックすることで、蓋体が意図せずに開いて鎌のブレード部がホルダ本体から外に出るのが阻止され、安全である。
【００１５】
この鎌用ホルダにおいて、前記ロック用の金具に対してロック状態保持具を解除可能に係合させることができ、前記ロック用の金具は、前記ロック状態保持具が当該ロック用の金具に対して係合状態にあるときに、ロック状態に保持されて当該ロック状態の意図しない解除を防止することができる。
ロック用の金具は、ロック状態保持具が係合している状態にあるときには、ロック用の金具のロック状態が保持され、ロック状態の意図しない解除が行われることがない。したがって、蓋体がホルダ本体から意図せずに開くというようなことがなく、収容されている鎌が鎌用ホルダから意図せずに抜け出るのを防止することができ、安全となる。ロック状態保持具が、作業者の意図によってロック用の金具との係合から外されるときには、ロック用の金具のロックの解除の操作が許容され、蓋体をホルダ本体から開くことができ、鎌を鎌用ホルダから取り出すことができる。
【００１６】
この鎌用ホルダにおいて、前記囲みバンドは、その両端部分において前記ホルダ本体に対して固定的に取り付けられているとすることができる。
この場合、鎌の柄部は、囲みバンドに対して差し入れる又は抜き出すことで、ホルダ本体に対して囲み留め又はそこから離脱させることができる。
【００１７】
この鎌用ホルダにおいて、前記囲みバンドは、前記両端部分のいずれか一方において前記ホルダ本体に対して取り外し可能に取り付ける、又は前記ホルダ本体に対して固定的に取り付けられている前記両端部分の間の中間部分において互いに取り外し可能に連結させることができる。
囲みバンドを、両端部分のいずれか一方においてホルダ本体に対して取り外し可能に取り付けた場合には、取り外し可能に取り付けられた端部分を取り外した状態で囲みバンドによって鎌の柄部を巻き囲み、当該端部分をホルダ本体に対して取り付けることで、閉じた囲みバンドによって鎌の柄部を囲み保持することができる。また、逆の操作によって鎌の柄部の囲み保持を解放することができる。
囲みバンドを、ホルダ本体に対して固定的に取り付けられている両端部分の間の中間部分において互いに取り外し可能に連結させた場合には、当該中間部分において取り外した状態で両側の囲みバンドによって鎌の柄部を巻き囲み、当該端部分を互いに連結させることで、閉じた囲みバンドによって鎌の柄部を囲み保持することができる。また、中間部分の連結を解除して囲みバンドを開くことによって、鎌の柄部の囲み保持を解放することができる。
【００１８】
この鎌用ホルダにおいて、前記ホルダ本体には、作業員の腰ベルトを通すことができるベルト通しを取り付けることができる。
この鎌用ホルダによれば、ホルダ本体に取り付けたベルト通しに作業員の腰ベルトを通すことにより、作業員は、腰ベルトに鎌用ホルダを装着し、鎌を鎌用ホルダに収容した状態で携行することができる。
【考案の効果】
【００１９】
本考案による鎌ホルダは、鎌のブレード部を収容する構造が、ブレード部をその長手方向に差し込む又は引き抜く鞘部ではなく、当該長手方向に対して交差する方向に差し入れる又は取り出すことを可能にする溝が形成されたホルダ本体と、当該溝を覆う態様でホルダ本体に対して閉じられる蓋体とで構成されており、非常に簡単で且つコンパクトな構造となっている。また、鎌について、鎌用ホルダへの収容及び鎌用ホルダからの取り出しに際して、鎌のブレード部の収容のために、鞘方向に長い操作距離を要するというものではなく、短い操作距離で済ませることができるので、鎌のホルダ内への収容又は取出しに要する操作が非常に簡単で且つスムーズとなる。更に、鎌用ホルダに収容されている鎌の柄部は、ホルダ本体の外に出ているが、ホルダ本体に取り付けられている囲みバンドによってホルダ本体に対して囲み保持される。その結果、本考案によれば操作性が向上された使い勝手の良い鎌用ホルダを得ることができる。
【図面の簡単な説明】
【００２０】
【図１】図１は、本考案による鎌用ホルダの一実施例を主として正面側から見た斜視図である。
【図２】図２は、図１に示す鎌用ホルダを主として裏面側から見た斜視図である。
【図３】図３は、図１に示す鎌用ホルダを、その蓋体を開いた状態で示す斜視図である。
【図４】図４は、図１に示す鎌用ホルダに用いられる囲みバンドの変形例を示す斜視図である。
【図５】図５は、図１に示す鎌用ホルダが鎌を収容し且つ作業者の腰部に装着されている状態を示す斜視図である。
【考案を実施するための形態】
【００２１】
以下、添付した図面に基づいて、この考案による鎌用ホルダの実施例を説明する。
図１〜図３の各斜視図に示すように、鎌用ホルダ１は、基本的には、ブロック状のホルダ本体２と、ホルダ本体２の上側に載った載置状態と当該載置状態から外れた状態との間で移動可能な蓋体３と、鎌の柄部を囲むためにホルダ本体２に取り付けられている囲みバンド４と、蓋体３をホルダ本体２にロックするためのロック金具５を備えている。
【００２２】
鎌用ホルダ１に収容される鎌６について説明する。鎌６が鎌用ホルダ１に収容されている状態を示している斜視図としての図５を参照すると、鎌６は一般的な構造の鎌であって良く、ブレード部７と作業者が掴み可能な柄部８とを備えている。ブレード部７は、ブレードの背部分としての峰７ａと、峰７ａとは幅方向反対側に位置する切断用のブレード縁部分としての刃先７ｂを備えている。ブレード部７は、刃元側となる一端７ｃにおいて、柄部８の先端部分８ａに取り付けられている。刃先７ｂは、草木等の植物を刈り取るため、柄部８を望む内側において、直線的に延びているか又は湾曲して形成されている。ブレード部７と柄部８とは、用途（刈取り対象）によっても異なるが、直角又は直角に近い所定の範囲内の角度（通常は鈍角）で交差して連結されている。刃先７ｂには、その長手方向に並ぶ態様で歯を形成してもよい。作業者が柄部８を持って手前側に引いたときに、ブレード部７の刃先７ｂによって対象物である草木や枝等を刈り取ることができる。
【００２３】
ホルダ本体２は、幅Ｗｂの寸法よりも横長さＬｂと高さＨｂの寸法が十分に長いブロック状の形状を有している。ホルダ本体２の下部の横方向両側のコーナー部分は、軽量化を図り且つ尖った角の当たりを緩和するために、適宜、面取りされた態様で角が切り落とされている。蓋体３を開いた状態で示す斜視図である図３に示すように、幅方向中央には、上面２１と横方向両側の端面２２，２２に開いたスリット状の溝２３が形成されている。溝２３は、上面２１において溝開口２４として開いている。ここで、溝開口２４が開いている方向とは、溝２３の溝底側から上面２１における溝開口２４を通して上に向う方向である。溝２３の形状は、ホルダ本体２の外面と平行な平面状の溝壁で定められていて、一様な幅Ｗｓを有している。したがって、溝２３は、幅狭で比較的深く且つ真っ直ぐに長く延びている溝である。溝２３の幅Ｗｓは鎌６のブレード部７のブレード幅より僅かに広い寸法を有している。この寸法関係によって、鎌６のブレード部７を溝２３内に、また溝２３内から、抵抗なくスムーズに出し入れすることができる。
【００２４】
溝２３の横長さＬｓは、ホルダ本体２の横長さＬｂと同じ長さである。当該横長さＬｓは、収容すべき鎌６のブレード部７の長さ（刃渡り）よりも長い寸法に設定されている。したがって、鎌６を鎌ホルダ１に収容したとき、鎌６のブレード部７は長さ方向には溝２３内に収容されるものとなり、ブレード部７の先端が鎌ホルダ１から飛び出すようなことにはならない。また、図示の例では、溝２３の高さＨｓは、収容すべき鎌６のブレード部７の高さよりも若干低い寸法に設定されている。したがって、鎌６を鎌ホルダ１に収容したとき、鎌６のブレード部７は、その全部について溝２３内に収容しきれず、ブレード部７の峰７ａ側の一部は、溝２３の溝開口２４から上方に飛び出している。溝開口２４の上方に飛び出したブレード部７の一部は、後述するように、蓋体３に形成されている溝内に収容することができる。ブレード部７は、溝２３内に収容されている状態では、フィット感を伴って且つ大きなガタツキ無く収容される。図示の例では、溝２３は一様な幅Ｗｓで形成されているものとして説明したが、ブレード部７を一層フィットさせて収容するため、ブレード部７の断面形状に倣って溝底側に向って狭くなるように形成してもよい。
【００２５】
蓋体３は、ホルダ本体２にヒンジ２５，２５を介して回動可能に取り付けられており、ホルダ本体２に対してヘッド状に上面２１を覆って蓋をする役割を担っている。ヒンジ２５，２５は、一方のプレートがホルダ本体２の上面２１の長辺に沿った縁部分（横長縁部分）に取り付けられ、他方のプレートがそれに対応する蓋体３の下面３１の長辺に沿った縁部分（横長縁部分）に取り付けられている。蓋体３は、ホルダ本体２に対してヒンジ２５，２５の回動機能によって、上面２１に載置された載置状態（溝開口２４の閉じ状態）と、上面２１から離れることによって載置状態から外れた状態（溝開口２４の開き状態）との間で移動可能である。このとき、蓋体３は、溝２３の上方に開いた溝開口２４を覆うか覆わないかに応じて、ホルダ本体２の溝２３の溝開口２４を開閉する。
【００２６】
蓋体３は、全体として、ホルダ本体２よりも高さの低いブロック状の形状、即ち、図３に示すように、高さＨｈ、横長さＬｈ（ホルダ本体２の横長さＬｂと同じ）及び幅Ｗｈ（ホルダ本体２の幅Ｗｂと同じ）を有するブロック状の形状に構成されており、ホルダ本体２と同様に、上部の横方向両側のコーナー部分の角が、適宜切り落とされて斜面となっている。蓋体３の下面３１は、大きさと互いの配置関係において、ホルダ本体２の上面２１と対応している。即ち、蓋体３の下面３１の大きさは、ホルダ本体２の上面２１と同じ大きさである。また、蓋体３をヒンジ２５，２５で回動させてホルダ本体２の上面２１に載置させた状態では、蓋体３の下面３１は、上面２１と整合して重なる。
【００２７】
蓋体３には、下面３１に開口する溝３３が形成されている。蓋体３をホルダ本体２に対して閉じた状態にあるとき、蓋体３の溝３３は、ホルダ本体２の溝２３と整合し且つ連続するように形成されている。溝３３は、鎌６のブレード部７の峰７ａ側の部分、即ち、ブレード部７のうち、ホルダ本体２の溝２３の溝開口２４から上方に飛び出している部分を収容可能である。ブレード部７の峰７ａ側の部分を収容するため、溝３３は、一様な深さに形成してもよいが、図３に示しているように、峰７ａの形状に対応して横長方向の中央部分で深さが深くなるような弧状の溝として形成してもよい。弧状に形成された溝３３は、ブレード部７の弧状の峰７ａ側の部分を丁度収容した状態では、弧状同士の嵌合によって、ブレード部７が溝３３から横長方向に抜け出ようとする動きを阻止する作用をブレード部７に及ぼすことができる。
【００２８】
鎌６のブレード部７をホルダ本体２に収容した状態で蓋体３をホルダ本体２に対して閉じるときには、鎌６のブレード部７の刃先７ｂ側の部分がホルダ本体２の溝２３に、峰７ａ側の部分が蓋体３の溝３３に収容される。また、鎌６の収容状態で蓋体３をホルダ本体２に対して開いたときに、鎌６のブレード部７の峰７ａ側の部分を目視して確認することができ、その後の、ブレード部７のみならず柄部８を含めた鎌６の全体を鎌用ホルダ１から取り出すことが容易である。
【００２９】
ホルダ本体２には、その一方の端面２２を囲むように、囲みバンド４が設けられている。囲みバンド４は、図１〜図３に示されているように、バンド本体４０の両端部分４１，４１（各図では一方のみを示す）がホルダ本体２の正面及び裏面に対してビスによってねじ止めされることで、ホルダ本体２に固定的に取り付けられている。囲みバンド４は、図示のように、バンド本体４０が屈曲されて上下が開いている柔軟な半筒の構造である。鎌６の柄部８を囲みバンド４に対して上方から出し入れすることで、ホルダ本体２に対して囲み又はその囲みから離脱させることができる。上方から差し入れられた鎌６の柄部８は、ブレード部７が取り付けられる先端部分８ａの周りにおいてホルダ本体２の端面２２との間で囲みバンド４によって囲まれる。その結果、ブレード部７が意図せずに溝２３から出るような動きをするのが防止される。囲みバンド４としては、繰り返して鎌６の柄部８が出し入れされ、且つ差し入れられた鎌６を支える必要があることから、耐久性のある繊維（例えば、アラミド繊維）で織った帯布を用いることが好ましい。
【００３０】
鎌６の柄部８についてブレード７の取付け側（先端側）よりも手元側が太くなっているように太さが一様ではない場合（例えば、図５において柄部８の太い手元端部８ｂを想像線で示す）で、ホルダ本体２に対して両端固定の囲みバンド４に柄部８を差し入れ難いときには、図４に示すように、両端部分のいずれか一方においてホルダ本体２に対して取り外し可能に取り付ける、又は両端部分の間の中間部分において互いに取り外し可能に連結させることができる。図４（ａ）において囲みバンド４２として示された例では、バンド本体４０に繋がる一方の端部分（図示を略）については、図１等で既に示した例と同様に、ビスによってホルダ本体２に固定的に取り付けているが、他方の端部分４４については、例えば、服飾においてホックと称されるような、凹凸に嵌め合わせて用いられる複数個のスナップボタン４５（図示の例では縦に並んだ３個。一部にのみ符号を付す）のような固着具によって、ホルダ本体２に対して取り外し可能に取り付けられている。嵌合状態にあるスナップボタン４５は、通常の状況下では外れることがない充分な嵌合力を持つ。鎌６の柄部８の太さが一様でない場合であっても、端部分４４を取り外した状態でブレード部７を溝２３，３３内に収容し、その後、囲みバンド４２と端面２２によって鎌６の柄部８を巻き囲み、端部分４４をスナップボタン４５によってホルダ本体２に対して取り付けて囲みバンド４２を閉じることで、鎌６の柄部８を囲み保持することができる。また、逆の操作によって囲みバンド４２による柄部８の囲み保持を解放することができる。
【００３１】
図４（ｂ）に示す例では、囲みバンド４６は、両方の端部分４７，４７（一方の図示を略）について図１等で既に示した例と同様に、ビスによってホルダ本体２に固定的に取り付けているが、両端部分４７，４７の間で切断された中間部分４８，４８において、図４（ａ）の場合と同様の複数個のスナップボタン４９（図示の例では縦に並んだ３個。一部にのみ符号を付す）のような固着具によって互いに取り外し可能に連結されている。鎌６の柄部８の太さが一様でなく柄部８を囲みバンド内に差し込み難い場合であっても、中間部分４８，４８の連結を外した状態でブレード部７を溝２３，３３内に収容し、その後、囲みバンド４６と端面２２によって鎌６の柄部８を巻き囲み、中間部分４８，４８をスナップボタン４９によって互いに連結することで、鎌６の柄部８を囲み保持することができる。また、逆の操作によって囲みバンド４６による柄部８の囲み保持を解放することができる。
【００３２】
鎌用ホルダ１において、蓋体３は、ホルダ本体２に対して閉じ状態にあるとき、ロック用の金具（以下、「ロック金具」と称する）５によって、ホルダ本体２にロックされる。ロック金具５は、作業者の操作によってロック及びロック解除が可能である。蓋体３をホルダ本体２に対してロックすることで、蓋体３がホルダ本体２から意図せずに開くのが防止される。ホルダ本体２に対して蓋体３を閉じて、ホルダ本体２の溝２３と蓋体３の溝３３内にブレード部７を収容したとき、蓋体３がロックされて開かないことで、鎌６のブレード部７がホルダ本体２から外部に出るのが阻止される。したがって、蓋体３をロック金具５によってホルダ本体２に対してロックをしている限り、ブレード部７はホルダ本体２内に留められ、刃先７ｂが外部に露出することがないので、安全である。
【００３３】
図に示されているロック金具５は、掛金（以下、掛金に符号５を付して説明する）である。掛金５は、特に図３に示すように、ホルダ本体２の上面２１のヒンジ２５，２５が設けられる側と反対側の長辺に関して、ホルダ本体２と蓋体３とに掛け渡して設けられている。即ち、掛金５の受け座５１がホルダ本体２側にビスでねじ止めされており、受け座５１には回転操作される丸かん５２が回転可能に取り付けられている。掛金５の本体５０側では、取付けプレート５３が蓋体３にビスでねじ止めされており、取付けプレート５３に対してヒンジ５４を介して掛金プレート５５が回動可能に連結されている。掛金プレート５５には、丸かん５２が受け座５１に対して所定の回転位置を取るときに通過可能であるが、それ以外の回転位置では丸かん５２の通過を許容しない孔５６が形成されている。
【００３４】
蓋体３をホルダ本体２に対して閉じ状態としたとき、掛金５についての通常の操作と同様にして、丸かん５２を掛金プレート５５の孔５６に通して、掛金プレート５５を受け座５１に重ねるように置く。この状態が図１に示されている。丸かん５２の回転位置を９０度回転するという簡単な操作により、掛金５が容易に素早くロックされ、蓋体３が不用意にホルダ本体２から開くのを防止することができる。この状態が図５に示されている。ロックの解除についても、手順は逆であるが、同様に簡単で素早く操作可能である。
【００３５】
ロック金具として掛金５を例に挙げて説明したが、掛金５以外に、具体的に図面を以て示さないけれども、ラッチ、丸落し、キャッチ等のような、蓋や扉の開閉の補助に供されていて蓋や扉の閉じ状態を保持することができる周知で簡単な構造のロック金具を用いることができる。これらのロック金具のロック操作とロック解除操作も簡単なものであり、作業員は操作を誤ることなくホルダ本体に対する蓋体のロックとその解除を簡単に素早く行うことができる。
【００３６】
鎌用ホルダ１において、ホルダ本体２には、裏面側（ロック金具５が設けられた正面側とは反対側；図２参照）において、ベルト通し６０，６０が取り付けられている。ベルト通し６０，６０は、同じ構造のものがホルダ本体２の横長手方向に並べて配置されている。また、ベルト通し６０，６０は、囲みバンド４と同様の素材から構成することができ、上辺及び下辺においてホルダ本体２にビスによって取り付けられる。ベルト通し６０，６０のホルダ本体２の裏面側への取付けに際しては、少し弛めた状態で取り付けることによって、腰ベルト７５（図５参照）を通し易くすることが好ましい。作業員は、ベルト通し６０，６０に腰ベルト７５を通すことにより、鎌用ホルダ１を腰ベルト７５に支持させ、鎌６を鎌用ホルダ１に収容した状態で携行することができる。
【００３７】
鎌６を鎌用ホルダ１に保持させるには、先ず、蓋体３がホルダ本体２の上面２１を覆っていない開き状態（図３に示す状態）にあるときに、半筒状の囲みバンド４とホルダ本体２の端面２２とで囲まれるスペース内に上方より鎌６（図５参照）の柄部８を差し入れながら、鎌６のブレード部７をホルダ本体２の上方に開いた溝開口２４を通して溝２３に差し入れる。図３において、鎌のブレード部の出し入れ方向（溝開口２４の開き方向に沿う方向）をＺ−Ｚで示す。即ち、鎌６のブレード部７は、ホルダ本体２の溝２３に対して、ブレード部７の長手方向に交差する方向を溝開口２４の開き方向に沿うように、溝開口２４を通して出し入れされる。柄部８の手元端が拡大しているときには、図４に示すような囲みバンドを用いることができる。ブレード部７の大部分である刃先７ｂ側の部分が溝２３に収容される。その後、蓋体３をヒンジ２５，２５の回りに回動させて、蓋体３をホルダ本体２の上面２１と溝開口２４を覆うように閉じる。蓋体３に形成されている溝３３が、ホルダ本体２の溝２３から上方に飛び出しているブレード部７の部分（峰７ａ側の部分）を収容することで、ブレード部７はホルダ本体２の溝２３と蓋体３の溝３３内に分担されて収容（図５に示す収容状態）される。
【００３８】
ブレード部７がホルダ本体２と蓋体３とで収容状態にあるときには、ブレード部７の先端がホルダ本体２の端面２２よりも外側に突き出すことはない。また、柄部８は、ブレード部７が取り付けられる上端である先端部分８ａにおいて、囲みバンド４と端面２２とで囲まれるスペース内に保持されるので、ブレード部７がホルダ本体２や蓋体３から抜け出ることがない。また、蓋体３の溝３３を弧状に形成するときには、弧状の溝３３はブレード部７の長手方向への移動も制限するので、ブレード部７の鎌用ホルダ１内からの抜け出しのみならず、鎌用ホルダ１内でのガタツキも防止される。閉じられた蓋体３は、ロック金具５を操作（図示の例では、掛金プレート５５の孔５６を通過させた丸かん５２を回動させて掛金プレート５５の開きを阻止）することで、ホルダ本体２に対して閉じ状態でロックされる。
【００３９】
鎌用ホルダ１に保持された鎌６を取り出すには、上記の操作を逆に行う。即ち、ロック金具５を解除して、蓋体３をホルダ本体２に対して開き、鎌６の柄部８を囲みバンド４と端面２２とで囲まれるスペース内を上方に通過させながら、ブレード部７を溝２３から上方に抜き出すことで、鎌６を鎌用ホルダ１から引き出すことができる。
【００４０】
図５には、掛金５のロック状態を保持するとともに、作業者が掛金５のロック状態を解除しようと意図するときには操作によってロックの解除を許容するロック状態保持具７０が示されている。図５では、鎌用ホルダ１が、ベルト通し６０，６０に作業者のズボン用の腰ベルト７５を通すことで、作業者の腰部に装着されている状態にある。ロック状態保持具７０は、互いに紐７１で連結されたフックのような係合具７２，７３を備えている。係合具７２，７３は、ばね力で閉じ方向に付勢された環を備えている。紐７１は、高強度の繊維材から形成されていてもよく、またチェーンやワイヤのような金属製の部品であってもよい。一方の係合具７２は、掛金５の丸かん５２に引っ掛けて係合可能である。他方の係合具７３については、例えば、作業者の腰ベルト７５用としてズボンに縫い付けられているベルトループ７４に引っ掛けられる。ロック状態保持具７０の係合具７２が丸かん５２に係合している状態では、係合具７２は、丸かん５２が掛金プレート５５の孔５６を通過するのを邪魔するので、掛金５が意図せずに開くとなることがなく、掛金５をロック状態に維持することができる。
【００４１】
ロック状態保持具７０の一方の係合具７２について、フックの環を開き、開いた箇所から丸かん５２を通すことによって、係合具７２を丸かん５２との係合から外す操作をすると、丸かん５２は掛金プレート５５の孔５６を通過することができるようになる。したがって、掛金５はロック解除が許容される。他方の係合具７３をベルトループ７４に引っ掛けた状態とすることで、ロック状態保持具７０は、係合具７２，７３が紐７１で繋がったまま常に作業者に付随している状態となり、紛失することはない。ロック状態保持具７０を用いることにより、掛金５が意図せずに外れて鎌用ホルダ１の蓋体３がホルダ本体から開き、鎌６が鎌用ホルダ１から抜け出るのを確実に防止することができる。
【００４２】
以上、本考案による鎌用ホルダの実施例について説明したが、本考案である鎌用ホルダ１は、上記実施例に対して種々の変更が可能である。例えば、ホルダ本体２の溝２３の一端（収容する鎌のブレード部７の刃先側端部）は、開いているものとして説明したが、閉じておくこともできる。この場合、万一、ブレード部７の長い鎌を誤って収容しようとするときに、刃先が溝２３から突き出ていて危険な状態となるのを防止することができる。また、蓋体３については溝３３を形成したものとして説明したが、蓋体３には必ずしも溝３３は必要ではないので、溝３３を形成しなくてもよく、溝２３のみでブレード部７の全体を収容することができる。ホルダ本体２と蓋体３の素材としては、木材としてもよく、また合成樹脂としてもよい。囲みバンド４については、強化繊維の織布として説明したが、合成皮革や帆布のような素材であってもよい。
【符号の説明】
【００４３】
１  鎌用ホルダ                ２  ホルダ本体            ３  蓋体
４  囲みバンド                ５  ロック金具（掛金）
６  鎌                        ７  ブレード部            ７ａ  峰
７ｂ  刃先                    ７ｃ  ブレード部の一端
８  柄部                      ８ａ  先端部分            ８ｂ  手元端部
２１  上面                    ２２  端面                ２３  溝
２４  溝開口                  ２５  ヒンジ
３１  下面                    ３２  溝
４０  バンド本体              ４１  端部分
４２  囲みバンド              ４３  バンド本体          ４４  端部分
４５  スナップボタン
４６  囲みバンド              ４７  端部分              ４８  中間部分
４９  スナップボタン
５０  金具本体                ５１  受け座              ５２  丸かん
５３  取付けプレート          ５４  ヒンジ              ５５  掛金プレート
５６  孔                      ６０  ベルト通し
７０  ロック状態保持具        ７１  紐                  ７２，７３  係合具
７４  ベルトループ            ７５  腰ベルト
Ｈｂ  ホルダ本体２の高さ          Ｌｂ  ホルダ本体２の横長さ
Ｗｂ  ホルダ本体２の幅
Ｈｓ  溝２３の高さ                Ｌｓ  溝２３の横長さ
Ｗｓ  溝２３の幅
Ｈｈ  蓋体３の高さ                Ｌｈ  蓋体３の横長さ
Ｗｈ  蓋体３の幅
Ｚ−Ｚ  鎌のブレード部の出し入れ方向
【図１】
0003216086.tif 000003
【図２】
0003216086.tif 000004
【図３】
0003216086.tif 000005
【図４】
0003216086.tif 000006
【図５】
0003216086.tif 000007